(57)【特許請求の範囲】
【請求項１】
インナ軸部材と該インナ軸部材に外挿されるアウタ筒部材が筒状の本体ゴム弾性体によって弾性連結されていると共に、該アウタ筒部材の軸方向一方の端部には外周側に突出するストッパ部が設けられており、該ストッパ部には軸方向外側に突出するストッパゴムが固着されている筒形防振装置において、
前記ストッパ部の軸方向端面が前記インナ軸部材の軸方向端面よりも軸方向内方に位置しており、且つ、該ストッパ部の軸方向端面から軸方向外側に突設された前記ストッパゴムの突出先端部が該インナ軸部材の軸方向端面よりも軸方向外方まで突出している一方、
前記ストッパゴムの前記ストッパ部の軸方向端面からの突出高さが、前記インナ軸部材の軸方向一方の端面の外周縁部と、前記アウタ筒部材の該ストッパ部の内周端部との離隔距離よりも大きくされていると共に、該ストッパゴムの突出方向の弾性主軸が、軸方向に対して該ストッパゴムの先端側に向かって外周側に傾斜していること
を特徴とする筒形防振装置。
【請求項２】
前記ストッパゴムが軸方向のストッパ荷重の入力によって圧縮変形される圧縮ゴムとされている請求項１に記載の筒形防振装置。
【請求項３】
前記ストッパゴムの突出方向の弾性主軸の延長線上に前記ストッパ部が位置している請求項１又は２に記載の筒形防振装置。
【請求項４】
前記アウタ筒部材の軸方向一方の端部には、軸方向外側に向かって縮径するテーパ部が設けられており、該テーパ部の軸方向外側の端部に前記ストッパ部が設けられている請求項１〜３の何れか１項に記載の筒形防振装置。
【請求項５】
前記インナ軸部材が装着対象部材に取り付けられた装着状態で前記ストッパゴムが該装着対象部材に当接されている請求項１〜４の何れか１項に記載の筒形防振装置。
【請求項６】
前記装着状態で前記装着対象部材への当接によって前記ストッパゴムが軸方向に圧縮変形されており、前記インナ軸部材と前記アウタ筒部材の間への振動荷重の入力時に該ストッパゴムの該装着対象部材に対する当接が維持される請求項５に記載の筒形防振装置。
【請求項７】
前記ストッパゴムの内周面の軸方向に対する傾斜角度が０度より大きくされて、該ストッパゴムの内周面が突出先端側に向かって外周側に傾斜していると共に、該ストッパゴムの外周面の軸方向に対する傾斜角度が０度以下とされており、更に該ストッパゴムの内周面の軸方向に対する傾斜角度の絶対値が、該ストッパゴムの外周面の軸方向に対する傾斜角度の絶対値よりも大きくされている請求項１〜６の何れか１項に記載の筒形防振装置。
【発明の詳細な説明】
【技術分野】
【０００１】
本発明は、インナ軸部材とアウタ筒部材を本体ゴム弾性体によって弾性連結した構造を有する筒形防振装置に関するものである。
【背景技術】
【０００２】
従来から、振動伝達系を構成する部材間に介装されて、それら部材を防振連結する防振装置の一種として、筒形防振装置が知られている。この筒形防振装置は、インナ軸部材と、インナ軸部材に対して所定の隙間をもって外挿されるアウタ筒部材とを、筒状の本体ゴム弾性体によって相互に弾性連結した構造を有している。例えば、特開昭６０−１４６２７号公報（特許文献１）が、それである。
【０００３】
ところで、筒形防振装置では、軸方向でのばね特性を調節したり、インナ軸部材とアウタ筒部材の軸方向での相対変位量を制限する等の目的で、ストッパゴムが設けられる場合がある。即ち、特許文献１にも示されているように、アウタ筒部材の軸方向一方の端部に外周側に向かって突出するフランジ部が設けられて、そのフランジ部の軸方向外側の端面にストッパゴムが配設されることにより、インナ軸部材が取り付けられる装着対象部材（車両ボデー等）とフランジ部とが、ストッパゴムを介して緩衝的に当接するようになっている。特に、軸方向のばね特性のチューニングや、当接打音の回避等を目的として、ストッパゴムは、筒形防振装置の車両への装着時にフランジ部と車両ボデーの間で軸方向に挟み込まれるようになっている。
【０００４】
ところが、このストッパゴムは、ばね特性や耐久性等の要求性能を満たすために、軸方向での突出高さがある程度大きく確保されることが望ましく、車両ボデーに押し当てられると、倒れ込むように弾性変形する場合がある。その結果、倒れ込んだストッパゴムの先端部分が、インナ軸部材の軸方向端面と車両ボデーとの間に噛み込まれて、車両への装着不良が生じたり、軸方向のばね特性や本体ゴム弾性体の耐久性等に悪影響を及ぼすおそれがあった。
【０００５】
なお、特許文献１に示された構造のように、インナ軸部材とアウタ筒部材の距離を、ストッパゴムが弾性変形しても噛み込まない程度に大きく確保することによって、このようなストッパゴムの噛込みを回避することは可能であるが、その場合には、インナ軸部材の車両ボデーへの締結面積を充分に確保しようとすると、アウタ筒部材の大径化を避け難い。しかしながら、アウタ筒部材のサイズは、車両側の取付構造（嵌着孔等）の形状によって制限される場合が多く、小型軽量化が高度に要求される昨今の車両構造によってアウタ筒部材の大径化が許容されない場合には、ストッパゴムの噛込みを回避する別の解決手段が求められる。
【先行技術文献】
【特許文献】
【０００６】
【特許文献１】特開昭６０−１４６２７号公報
【発明の概要】
【発明が解決しようとする課題】
【０００７】
本発明は、上述の事情を背景に為されたものであって、その解決課題は、ストッパゴムのゴムボリュームを確保し、且つインナ軸部材やアウタ筒部材の形状変更を要することなく、ストッパゴムがインナ軸部材とその装着対象部材との間に噛み込まれるのを防ぐことができる、新規な構造の筒形防振装置を提供することにある。
【課題を解決するための手段】
【０００８】
本発明の第１の態様は、インナ軸部材と該インナ軸部材に外挿されるアウタ筒部材が筒状の本体ゴム弾性体によって弾性連結されていると共に、該アウタ筒部材の軸方向一方の端部には外周側に突出するストッパ部が設けられており、該ストッパ部には軸方向外側に突出するストッパゴムが固着されている筒形防振装置において、前記ストッパ部の軸方向端面が前記インナ軸部材の軸方向端面よりも軸方向内方に位置しており、且つ、該ストッパ部の軸方向端面から軸方向外側に突設された前記ストッパゴムの突出先端部が該インナ軸部材の軸方向端面よりも軸方向外方まで突出している一方、前記ストッパゴムの前記ストッパ部の軸方向端面からの突出高さが、前記インナ軸部材の軸方向一方の端面の外周縁部と、前記アウタ筒部材の該ストッパ部の内周端部との離隔距離よりも大きくされていると共に、該ストッパゴムの突出方向の弾性主軸が、軸方向に対して該ストッパゴムの先端側に向かって外周側に傾斜していることを、特徴とする。
【０００９】
このような第１の態様に従う構造とされた筒形防振装置によれば、ストッパゴムの弾性主軸が、軸方向に対して先端側に向かって外周側に傾斜していることから、ストッパゴムに対するストッパ荷重（インナ軸部材側に取り付けられた他部材と、アウタ筒部材のストッパ部とのストッパゴムを介した当接荷重）の作用によって、ストッパゴムが内周側に倒れ変形するのが防止される。それ故、ストッパゴムがインナ軸部材の軸方向一方の端面上に倒れ込んで他部材との間で噛み込まれるのを防止することができて、インナ軸部材の取付け強度が確保されると共に、要求されるばね特性や耐久性を有効に実現することができる。
【００１０】
また、ストッパゴムがインナ軸部材側に倒れ込むことによる不具合（噛込み）の発生が、ストッパゴムの形状によって防止されていることから、アウタ筒部材におけるストッパゴムの支持部分（ストッパ部）を、噛込み防止のためにインナ軸部材から遠ざける必要がない。それ故、インナ軸部材の軸方向端面の面積を大きく確保して、他部材に対する有効な固定力を得ることができると共に、アウタ筒部材の大径化による筒形防振装置の大型化が回避されて、筒形防振装置を軽量且つコンパクトに実現することができる。
【００１１】
また、ストッパゴムの高さ寸法を大きく設定することも可能とされることから、ストッパゴムのゴムボリューム（自由表面）が大きく確保され得て、ストッパゴムの耐久性の向上や、軸方向のばね特性のチューニング自由度を大きくすることができる。それ故、防振特性や耐久性等の要求性能を高度に満たすことが可能となる。
【００１２】
本発明の第２の態様は、第１の態様に記載の筒形防振装置において、前記ストッパゴムが軸方向のストッパ荷重の入力によって圧縮変形される圧縮ゴムとされている。
【００１３】
第２の態様によれば、ストッパゴムが圧縮ゴムとされていることにより、ストッパ荷重の入力に対してストッパゴムの外周側への倒れ変形（突出方向の弾性主軸の傾動を伴うストッパゴムの変形）が低減されて、圧縮応力が支配的に作用することから、耐久性の向上が図られる。
【００１４】
本発明の第３の態様は、第１又は第２の態様に記載された筒形防振装置において、前記ストッパゴムの突出方向の弾性主軸の延長線上に前記ストッパ部が位置しているものである。
【００１５】
第３の態様によれば、ストッパゴムに先端側から入力されるストッパ荷重は、弾性主軸方向の分力がストッパ部によって支持されることから、ストッパゴムの剪断変形が低減されて、圧縮変形が支配的になる。それ故、ストッパゴムの耐久性が確保されて、目的とする防振性能やストッパ作用を安定して得ることができる。
【００１６】
本発明の第４の態様は、第１〜第３の何れか１つの態様に記載された筒形防振装置において、前記アウタ筒部材の軸方向一方の端部には、軸方向外側に向かって縮径するテーパ部が設けられており、該テーパ部の軸方向外側の端部に前記ストッパ部が設けられているものである。
【００１７】
第４の態様によれば、アウタ筒部材の軸方向一方の端部がテーパ部によって縮径されていることによって、ストッパ部の外周側の端部を軸直角方向外側に突出させることなく、ストッパ部を大きくすることができる。それ故、アウタ筒部材の大型化を要することなく、ストッパ部に固着されるストッパゴムのゴムボリュームが大きく確保されて、耐久性の向上が実現される。
【００１８】
本発明の第５の態様は、第１〜第４の何れか１つの態様に記載された筒形防振装置において、前記インナ軸部材が装着対象部材に取り付けられた装着状態で前記ストッパゴムが該装着対象部材に当接されているものである。
【００１９】
第５の態様のような、筒形防振装置の装着状態でストッパゴムが装着対象部材に当接されている場合にも、ストッパゴムの装着対象部材への当接によるインナ軸部材側への倒れ変形が防止されることにより、ストッパゴムがインナ軸部材の軸方向一方の端面と装着対象部材との間に噛み込まれる不具合が回避される。それ故、インナ軸部材の装着対象部材への取付け強度が有効に発揮されて、筒形防振装置の安定した装着状態が実現される。
【００２０】
本発明の第６の態様は、第５の態様に記載された筒形防振装置において、前記装着状態で前記装着対象部材への当接によって前記ストッパゴムが軸方向に圧縮変形されており、前記インナ軸部材と前記アウタ筒部材の間への振動荷重の入力時に該ストッパゴムの該装着対象部材に対する当接が維持されるものである。
【００２１】
第６の態様によれば、ストッパゴムが装着対象部材から離隔するのを防止することで、ストッパゴムが装着対象部材に対して離隔した位置から打ち当たる際に発生する打音が防止される。
【００２２】
本発明の第７の態様は、第１〜第６の何れか１つの態様に記載された筒形防振装置において、前記ストッパゴムの内周面の軸方向に対する傾斜角度が０度より大きくされて、該ストッパゴムの内周面が突出先端側に向かって外周側に傾斜していると共に、該ストッパゴムの外周面の軸方向に対する傾斜角度が０度以下とされており、更に該ストッパゴムの内周面の軸方向に対する傾斜角度の絶対値が、該ストッパゴムの外周面の軸方向に対する傾斜角度の絶対値よりも大きくされているものである。
【００２３】
第７の態様によれば、ストッパゴムが先細形状とされると共に、ストッパゴムの先端が軸方向でストッパ部上に位置する。それ故、ストッパゴムに対して先端から軸方向でストッパ荷重が入力される場合に、ストッパゴムに対して圧縮応力が支配的に作用して、ストッパゴムの耐久性の向上が図られる。
【００２４】
しかも、ストッパゴムの内周面の軸方向に対する傾斜角度が、外周面の軸方向に対する傾斜角度よりも大きくされていることにより、ストッパゴムの弾性主軸が突出先端側に向かって外周側に傾斜しており、ストッパゴムの内周側への倒れ変形による噛込み等が防止されている。
【００２５】
加えて、ストッパゴムの成型用金型を軸方向外側に取り外す際に、ストッパゴムの内周面および外周面が成型用金型の内面に引っ掛かることがなく、脱型作業が容易に行われることから、製造容易性にも優れている。
【００２６】
なお、第７の態様に記載された筒形防振装置において、より好適には、前記ストッパゴムの外周面の軸方向に対する傾斜角度が０度とされる。これによれば、ストッパ荷重の入力に対するストッパゴムの圧縮変形や、ストッパゴム成型時の脱型性を損なうことなく、ストッパゴムの突出方向に延びる弾性主軸を軸方向に対してより大きく傾斜させることができる。それ故、ストッパ荷重の入力によるストッパゴムの内周側への倒れ変形がより効果的に防止されて、インナ軸部材の軸方向端面と他部材（装着対象部材等）への噛込みが防止される。
【発明の効果】
【００２７】
本発明によれば、ストッパゴムの突出方向の弾性主軸が、突出先端側に向かって外周側に傾斜していることから、ストッパ荷重の入力に対してストッパゴムが内周側に倒れるのが防止されている。それ故、ストッパゴムの噛込みによるインナ軸部材の取付け強度の低下等が防止される。しかも、ストッパゴムの突出高さを大きく確保して、ストッパゴムの耐久性の向上を図ることができると共に、インナ軸部材の軸方向端面の面積を確保することによる取付け強度の向上や、アウタ筒部材の小径化による筒形防振装置の小型化等も実現され得る。
【図面の簡単な説明】
【００２８】
【図１】本発明の第１の実施形態としてのメンバマウントを車両への装着状態で示す縦断面図。
【図２】図１に示されたメンバマウントの平面図。
【図３】図１に示されたメンバマウントの底面図。
【図４】図２のＩＶ−ＩＶ断面図。
【図５】図１に示されたメンバマウントの要部を拡大して示す縦断面図。
【図６】図１に示されたメンバマウントの車両装着状態での縦断面図であって、インナ軸部材とアウタ筒部材の間に荷重が入力された状態を示す図。
【図７】本発明の第２の実施形態としてのメンバマウントの要部を拡大して示す縦断面図。
【発明を実施するための形態】
【００２９】
以下、本発明の実施形態について、図面を参照しつつ説明する。
【００３０】
図１には、本発明に従う構造とされた筒形防振装置の第１の実施形態として、サスペンションメンバマウント１０が示されている。サスペンションメンバマウント１０は、インナ軸部材１２とアウタ筒部材１４が所定距離を隔てて内外挿配置されて、それらインナ軸部材１２とアウタ筒部材１４が本体ゴム弾性体１６によって弾性連結された構造を有している。なお、以下の説明において、上下方向とは、原則として、図１中の上下方向を言う。
【００３１】
より詳細には、インナ軸部材１２は、鉄やアルミニウム合金等で形成された高剛性の部材であって、図２〜図４に示されているように、厚肉小径の略円筒形状を呈している。また、インナ軸部材１２の軸方向一方の端部（図１中の上端部）には、外周側に突出する拡径部１８が設けられており、インナ軸部材１２の軸方向一方の端面（締結面２０）の面積が大きく確保されている。なお、拡径部１８の上端外周縁部には、面取り加工が施されており、インナ軸部材１２の締結面２０の外径が、拡径部１８の外径よりも僅かに小さくなっている。
【００３２】
アウタ筒部材１４は、インナ軸部材１２と同様の材料で形成された高剛性の部材であって、薄肉大径の略円筒形状を呈している。また、アウタ筒部材１４の軸方向一方の端部には、軸方向外側に向かって縮径するテーパ部２２が設けられている。更に、テーパ部２２の軸方向一方の端部には、外周側に突出するストッパ部２４が設けられている。このストッパ部２４は、外周部分が略円環板形状のフランジ部２６とされていると共に、内周部分が外周側に向かって次第に上傾するように湾曲した連設部２８とされて、テーパ部２２の上端から一体的に延び出している。
【００３３】
そして、アウタ筒部材１４がインナ軸部材１２に外挿されて、それらインナ軸部材１２とアウタ筒部材１４が全周に亘って軸直角方向で所定距離を隔てて配置されており、それらインナ軸部材１２とアウタ筒部材１４の間に本体ゴム弾性体１６が介装されている。
【００３４】
本体ゴム弾性体１６は、厚肉の略円筒形状を有するゴム弾性体であって、内周面がインナ軸部材１２の外周面に重ね合わされて加硫接着されていると共に、外周面がアウタ筒部材１４の内周面に重ね合わされて加硫接着されている。これにより、インナ軸部材１２とアウタ筒部材１４は、本体ゴム弾性体１６によって軸直角方向に弾性連結されている。なお、本実施形態の本体ゴム弾性体１６は、インナ軸部材１２とアウタ筒部材１４を備えた一体加硫成形品として形成されている。
【００３５】
また、本体ゴム弾性体１６には、第１のすぐり部３０が形成されている。第１のすぐり部３０は、図２，図４に示されているように、インナ軸部材１２とアウタ筒部材１４の間で本体ゴム弾性体１６の軸方向一方の端面に開口する凹所であって、全周に亘って略一定の断面形状で延びる環状の凹所とされている。なお、第１のすぐり部は、必ずしも環状である必要はなく、周上で複数の第１のすぐり部が形成されていても良い。その場合には、複数の第１のすぐり部は、必ずしも相互に同一形状でなくても良く、要求されるばね特性等に応じて互いに異なる形状とされていても良い。
【００３６】
さらに、本体ゴム弾性体１６には第２のすぐり部３２が形成されている。第２のすぐり部３２は、図３，図４に示されているように、インナ軸部材１２とアウタ筒部材１４の間で本体ゴム弾性体１６の軸方向他方の端面に開口する凹所であって、周上で等間隔に４つの第２のすぐり部３２が形成されている。なお、本実施形態では、相互に同一形状の４つの第２のすぐり部３２が形成されているが、第２のすぐり部は、必ずしも全てが同一形状でなくても良く、例えば、車両の前後方向と左右方向で要求されるばね特性の違い等に応じて、第２のすぐり部の周方向での長さや軸方向での深さ等を異ならせても良い。
【００３７】
また、アウタ筒部材１４のストッパ部２４の上面には、ストッパゴム３４が固着されている。ストッパゴム３４は、図２，図４に示されているように、周上の４カ所に設けられた突起状のゴム弾性体であって、本実施形態では、本体ゴム弾性体１６と一体形成されている。また、ストッパゴム３４は、突出先端側（図４中、上側）に向かって次第に細くなる先細形状とされており、全体として略四角錐形状を呈している。なお、ストッパゴム３４の突出先端面は、丸められた凸形湾曲面とされている。なお、周上で隣り合うストッパゴム３４の間には、円環板状のゴム弾性体がストッパゴム３４と一体形成されて、ストッパ部２４の上面に固着されている。
【００３８】
また、ストッパゴム３４は、図５に示されているように、フランジ部２６上面からの軸方向での高さ：Ｈが、インナ軸部材１２における締結面２０の外周縁と、アウタ筒部材１４におけるストッパ部２４との離隔距離：Ｄよりも大きくされている（Ｈ＞Ｄ）。これにより、ストッパゴム３４のゴムボリュームを充分に確保しつつ、インナ軸部材１２の締結面２０の面積の確保や、アウタ筒部材１４の大径化の防止が実現され得る。
【００３９】
このストッパゴム３４は、図５に示されているように、内周面３６が突出先端側に向かって所定の傾斜角度：θ１で外周側に傾斜する傾斜面とされていると共に、外周面３８が軸方向に対する傾斜角度：θ２を０度とされた軸方向に広がる非傾斜面とされている。更に、内周面３６の軸方向に対する傾斜角度：θ１の絶対値は、外周面３８の軸方向に対する傾斜角度：θ２の絶対値に比して大きくされている（｜θ１｜＞｜θ２｜）。なお、図５において、内周面３６および外周面３８の軸方向に対する傾斜角度は、軸方向から反時計回りが正方向とされており、内周面３６の傾斜角度：θ１が０度より大きく（θ１＞０）されている。
【００４０】
これにより、ストッパゴム３４の突出方向の弾性主軸：Ｌは、軸方向に対してストッパゴム３４の突出先端側に向かって所定の傾斜角度：αで外周側に傾斜している。本実施形態では、外周面３８の軸方向に対する傾斜角度：θ２が０度とされていることから、ストッパゴム３４の弾性主軸：Ｌの軸方向に対する傾斜角度：αは、内周面３６の軸方向に対する傾斜角度：θ１に比して絶対値が小さくなっている（｜α｜＜｜θ１｜）。
【００４１】
また、ストッパゴム３４の弾性主軸：Ｌの延長線上には、ストッパ部２４が位置しており、かかる延長線がストッパ部２４と図５中の交点：Ｐにおいて交差している。これにより、弾性主軸：Ｌの方向に作用する入力に対して、ストッパゴム３４がストッパ部２４で支持されて圧縮されるようになっている。
【００４２】
かくの如き構造とされたサスペンションメンバマウント１０は、図１に示されているように、インナ軸部材１２が、装着対象部材としての車両ボデー４０に設けられた取付部４２によって軸方向で挟み込まれて、ボルト固定されると共に、アウタ筒部材１４がサスペンションメンバ４４に設けられた嵌着孔４６に圧入固定されることにより、車両に装着される。
【００４３】
かかる車両への装着状態において、ストッパゴム３４は、車両ボデー４０の取付部４２に対して押し当てられており、取付部４２とフランジ部２６の間で軸方向に圧縮されている。ここにおいて、ストッパゴム３４の弾性主軸：Ｌが軸方向に対して傾斜角度：αで傾斜していることから、取付部４２とフランジ部２６の間で軸方向に圧縮されることによって、ストッパゴム３４には、軸方向での圧縮力に加えて、先端を外周側に変位させる反時計回りのモーメントが作用する。それ故、ストッパゴム３４が弾性変形によってインナ軸部材１２の締結面２０上に倒れ込んで、締結面２０と車両ボデー４０の取付部４２との間に挟み込まれるのが防止されている。その結果、ボルトの締付けによるインナ軸部材１２と車両ボデー４０の固定力が有効に発揮されて、目的とする車両装着状態が安定して実現される。
【００４４】
さらに、ストッパゴム３４の内周面３６がストッパゴム３４の突出先端側に向かって外周側に傾斜していると共に、ストッパゴム３４の外周面３８がストッパゴム３４の突出先端側に向かって内周側に傾斜していることに加えて、ストッパゴム３４の外周面３８の軸方向に対する傾斜角度：θ２が略０度とされている。これにより、ストッパゴム３４は、車両への装着時や軸方向の振動荷重の入力時に及ぼされるストッパ荷重によって軸方向の圧縮応力が支配的に作用して、主として圧縮変形を生じる、圧縮ゴムとされている。それ故、ストッパゴム３４の倒れ込み変形による剪断応力が抑えられて、ストッパゴム３４の耐久性が有利に確保される。
【００４５】
加えて、軸方向上下に分割された成形用金型によって第１, 第２のすぐり部３０，３２を備えた本体ゴム弾性体１６を成形する際に、ストッパゴム３４の内周面３６および外周面３８が成形用金型に引っ掛かることがなく、本体ゴム弾性体１６の脱型作業を容易に行うことができる。しかも、ストッパゴム３４の外周面３８の軸方向に対する傾斜角度：θ２が略０度とされていることによって、脱型の容易さを維持しつつ、ストッパゴム３４の弾性主軸：Ｌの軸方向に対する傾斜角度：αを大きく得ることができて、ストッパゴム３４の締結面２０上への倒れ込みがより効果的に回避される。
【００４６】
さらに、ストッパゴム３４の締結面２０と取付部４２の間への噛込みが、ストッパゴム３４の形状を工夫することによって回避されていることから、インナ軸部材１２における締結面２０の外周縁部と、アウタ筒部材１４のストッパ部２４との距離：Ｄを、ストッパゴム３４の噛込みの防止を考慮することなく小さくできる。それ故、サスペンションメンバマウント１０の軸方向および軸直角方向での小型化が実現される。
【００４７】
更にまた、ストッパゴム３４の高さ（軸方向寸法）：Ｈについても、ストッパゴム３４の締結面２０への噛込みを考慮することなく大きく設定可能となることから、ストッパゴム３４の自由表面が大きく確保されること等に起因する耐久性の向上が図られる。しかも、ストッパゴム３４の軸方向ばねのチューニング自由度が大きくなることから、サスペンションメンバマウント１０の軸方向でのばね特性の調節可能領域を大きく確保することができて、要求特性に高度に対応することが可能となる。
【００４８】
また、本実施形態では、図６に示されているように、インナ軸部材１２とアウタ筒部材１４の間に振動が入力されて、アウタ筒部材１４がインナ軸部材１２に対して軸方向他方の側（図６中、下側）に相対変位した場合に、ストッパゴム３４先端の車両ボデー４０（取付部４２）に対する当接が維持されるようになっている。即ち、サスペンションメンバマウント１０の車両への装着状態において、ストッパゴム３４の軸方向での圧縮変形量が大きく確保されていることによって、インナ軸部材１２とアウタ筒部材１４の軸方向での相対変位に対して、ストッパゴム３４の圧縮変形量が低減されると共に、ストッパゴム３４の取付部４２に対する当接が維持されるようになっている。これにより、振動入力時に、ストッパゴム３４が取付部４２に対して離隔した状態から打ち当てられることはなく、当接時の衝撃力に起因する打音が低減されている。
【００４９】
また、図７には、本発明の第２の実施形態としてのサスペンションメンバマウントの要部が示されている。即ち、本実施形態のサスペンションメンバマウントは、ストッパゴム５０を備えている。なお、第１の実施形態と実質的に同一の部材および部位については、図中に同一の符号を付すことで説明を省略する。また、図中に示されていない部分については、第１の実施形態と同様の構造とされている。
【００５０】
より詳細には、ストッパゴム５０は、第１の実施形態のストッパゴム３４と同様に本体ゴム弾性体１６と一体形成されており、アウタ筒部材１４のストッパ部２４に固着されて上方に向かって突出している。
【００５１】
また、ストッパゴム５０は、その内周面５２が軸方向に対して所定の傾斜角度：θ１’だけ傾斜していると共に、その外周面５４が軸方向に対して所定の傾斜角度：θ２’だけ傾斜している。更に、内周面５２の軸方向に対する傾斜角度：θ１’が０度より大きくされており、内周面５２がストッパゴム５０の突出先端側に向かって外周側に傾斜していると共に、外周面５４の軸方向に対する傾斜角度：θ２’が０度より小さくされている。これにより、ストッパゴム５０は、縦断面形状において突出先端側に向かって内周面５２と外周面５４が相互に接近する山形を呈している。なお、内周面５２および外周面５４の傾斜角度は、図７において軸方向から反時計回りを正の角度とする。
【００５２】
さらに、内周面５２の軸方向に対する傾斜角度：θ１’の絶対値が、外周面５４の軸方向に対する傾斜角度：θ２’の絶対値よりも大きくされている（｜θ１’｜＞｜θ２’｜）。これにより、ストッパゴム５０の突出方向に延びる弾性主軸：Ｌ’が軸方向に対して所定の傾斜角度：α’だけ傾斜しており、ストッパゴム５０の突出先端側に向かって外周側に倒れるように延びている。
【００５３】
なお、本実施形態のストッパゴム５０の内周面５２の傾斜角度：θ１’は、第１の実施形態のストッパゴム３４の内周面５２の傾斜角度：θ１と同じとされており、ストッパゴム５０の弾性主軸：Ｌ’の傾斜角度：α’が、ストッパゴム３４の弾性主軸：Ｌの傾斜角度：αよりも小さくなっている。このことでも例示されているように、突出方向に延びる弾性主軸を軸方向に対して傾斜させて、ストッパゴムのインナ軸部材１２の締結面２０での噛込みを回避するためには、内周面の傾斜角度が大きく設定されると共に、外周面の傾斜角度が小さく設定される。
【００５４】
このような本実施形態に従う構造とされたサスペンションメンバマウントのストッパゴム５０においても、第１の実施形態と同様に、車両への装着状態において、車両ボデー４０の取付部４２とアウタ筒部材１４のストッパ部２４との間で軸方向上下に挟み込まれて圧縮変形される。特に、本実施形態のストッパゴム５０は、内周面５２が基端側に向かって内周側に傾斜していると共に、外周面５４が基端側に向かって外周側に傾斜していることから、ストッパゴム５０に圧縮応力がより支配的に作用して、ストッパゴム５０の耐久性の向上が図られる。
【００５５】
また、ストッパゴム５０の内周面５２が外周面５４よりも軸方向に対する傾斜角度を大きくされており、弾性主軸：Ｌ’が先端側に行くに従って外周側に傾斜していることから、ストッパゴム５０が取付部４２とストッパ部２４の間で狭圧される際に内周側への倒れ変形が防止される。それ故、ストッパゴム５０がインナ軸部材１２の締結面２０と取付部４２との間に挟み込まれるのを防止することができて、目的とするインナ軸部材１２の取付強度や軸方向ばね特性、ストッパ性能等が、何れも有効に実現される。また、第１の実施形態と同様に、軸方向および軸直角方向での小型化や、ストッパゴム５０のゴムボリュームの確保による耐久性の向上およびばね特性のチューニング自由度の拡大等が、実現される。
【００５６】
以上、本発明の実施形態について詳述してきたが、本発明はその具体的な記載によって限定されない。例えば、ストッパゴムは、前記実施形態のように、周上で実質的に分割された複数が設けられていても良いし、全周に亘って環状に延びていても良い。また、周上で複数のストッパゴムが設けられている場合には、それらストッパゴムの形状が相互に異なっていても良いし、周方向の長さも特に限定されない。
【００５７】
さらに、周上で複数のストッパゴムが設けられている場合には、それらストッパゴムの周方向間にストッパゴムよりも突出高さの小さい小突起が設けられて、アウタ筒部材のストッパ部と装着対象部材との当接による衝撃力に対して、段階的な緩衝作用等が発揮されるようになっていても良い。
【００５８】
また、ストッパゴムは、当接時の緩衝作用等を考慮すると、先端側に向かって次第に断面積が小さくなる先細形状とされていることが望ましいが、必須ではなく、基端から先端まで一様な断面形状で延びていても良いし、先端側に向かって次第に断面積が大きくなっていても良い。
【００５９】
ストッパゴムの内周面の軸方向に対する傾斜角度：θ１は、必ずしも一様である必要はなく、ストッパゴムの突出方向に延びる弾性主軸：Ｌが先端側に向かって外周側に傾斜していれば、傾斜角度：θ１は徐々に変化していても良い。なお、ストッパゴムの外周面の軸方向に対する傾斜角度：θ２についても、同様である。
【００６０】
また、前記実施形態では、ストッパゴムの内周面が先端側に向かって外周側に傾斜すると共に、ストッパゴムの外周面が先端側に向かって内周側に傾斜しているが、例えば、ストッパゴムの内周面と外周面の両方が、先端端側に向かって外周側に傾斜した形状等も採用され得る。
【００６１】
また、インナ軸部材１２の軸方向一方の端部に設けられている拡径部１８は、締結面２０を大きく確保して装着対象部材（車両ボデー４０）への締結力を高めるために設けられていることが望ましいが、全体が略一定の断面形状で直線的に延びる円筒形状であっても良い。
【００６２】
また、筒形防振装置の車両への装着状態において、ストッパゴムは、必ずしもインナ軸部材の装着対象部材に対して押し当てられて圧縮されている必要はない。即ち、ストッパゴムは、装着対象部材に対して、静置状態で、当接圧が略０の当接（０タッチ）であっても良いし、装着対象部材に対して離隔しており、振動の入力によって当接するようになっていても良い。
【符号の説明】
【００６３】
１０：サスペンションメンバマウント（筒形防振装置）、１２：インナ軸部材、１４：アウタ筒部材、１６：本体ゴム弾性体、２２：テーパ部、２４：ストッパ部、３４：ストッパゴム、４０：装着対象部材
【図１】
0005766553.tif 000002
【図２】
0005766553.tif 000003
【図３】
0005766553.tif 000004
【図４】
0005766553.tif 000005
【図５】
0005766553.tif 000006
【図６】
0005766553.tif 000007
【図７】
0005766553.tif 000008